(57)【要約】【課題】ツールホルダーなどの被吊り下げ物を吊り下げて携帯するとき、ベルト通しが移動しにくい腰ベルトを提供する。【解決手段】端部に留め具３を設けたベルト２の内面、外面の少なくとも一方に、ゴム層又はウレタン層５，６を設ける。ゴム層又はウレタン層５，６は前記内面２Ａ、外面２Ｂの少なくとも一方の表面に積層して設けられる。ツールホルダー８を吊り下げたとき、ゴム層又はウレタン層５，６によってベルト通し７が滑り止め作用を受け、ツールホルダー８の移動を阻止すことができる。ゴム層又はウレタン層５，６は内面２Ａ、外面２Ｂの少なくとも一方の表面に積層して設けられたことで、ベルト通し７などがゴム層又はウレタン層５，６に確実に接することができる。【選択図】図１
0003153663.tif 000002
【実用新案登録請求の範囲】
【請求項１】
端部に留め具を設けたベルトの内面、外面の少なくとも一方に、ゴム層又はウレタン層などのエラストマー層を設けたことを特徴とする携帯品類の吊り下げ用腰ベルト。
【請求項２】
前記エラストマー層は前記内面、外面の少なくとも一方の表面に積層して設けられたことを特徴とする請求項１記載の携帯品類の吊り下げ用腰ベルト。
【請求項３】
前記エラストマー層は、前記ベルトの長手方向に沿って正面が文字、数字或いは模様を形成していることを特徴とする請求項１又は２記載の携帯品類の吊り下げ用腰ベルト。
【請求項４】
端部に留め具を設けたベルトの上縁に、該ベルトの表面よりも摩擦係数の高い第一の摩擦表面を有する上縁部材を設けたことを特徴とする携帯品類の吊り下げ用腰ベルト。
【請求項５】
端部に留め具を設けたベルトの下縁に、該ベルトの表面よりも摩擦係数の高い第二の摩擦表面を有する下縁部材を設けたことを特徴とする携帯品類の吊り下げ用腰ベルト。
【請求項６】
前記上縁部材を前記上縁の長さ方向に沿って設けたことを特徴とする請求項４記載の携帯品類の吊り下げ用腰ベルト。
【請求項７】
前記下縁部材を前記下縁の長さ方向に沿って設けたことを特徴とする請求項５記載の携帯品類の吊り下げ用腰ベルト。
【請求項８】
前記摩擦表面をエラストマーにより形成することを特徴とする請求項４〜７のいずれか１項に記載の携帯品類の吊り下げ用腰ベルト。
【請求項９】
前記ベルトが平帯状であることを特徴とする請求項１〜８のいずれか１項に記載の携帯品類の吊り下げ用腰ベルト。
【請求項１０】
所定の厚みと幅及び長さを有するシート状の発泡材を芯材とし、その外周を表面にエラストマーを施した布からなる外皮を、この外皮の上縁部材、内側部材及び下縁部材をあらわして被覆し、この外皮のベルト外側の表面に当該外皮よりも細幅のポリエステル繊維布の表皮を縫着してベルトを形成し、該ベルトに留め具を取り付けてなることを特徴とする携帯品類の吊り下げ用腰ベルト。
【考案の詳細な説明】
【技術分野】
【０００１】
本考案は、工具やハサミなどを携帯するホルダーを吊り下げる土木、建築、農業などの作業用の腰ベルトとして、あるいは釣具などを収容するポケットを吊り下げる魚釣りなどのレジャー用腰ベルトとして、さらには携帯電話などを収容するポケットを吊り下げる日常に使用するカジュアルな腰ベルトとしてズボンやスカートに使用することができる携帯品類の吊り下げ用腰ベルトに関する。
【背景技術】
【０００２】
従来、この種の腰ベルトとして、所定の厚みと幅及び長さを有するシート状の発泡ポリエチレンを芯材とし、その外周を裏面にビニル樹脂加工を施したポリアミド繊維布からなる外皮を被覆し、この外皮の表面に当該外皮よりも細幅のポリエステル繊維布の表皮を縫着してベルトを形成し、該ベルトに留め具等を取り付けてなるベルトが周知である（例えば、特許文献１）。
【０００３】
このような腰ベルトには、作業のときに使用する例えば工具を着脱自在に収納するツールホルダーが吊り下げられる。このようなツールホルダーにはベルト通しが貫通孔によって形成されており、このベルト通しにベルトを通すことにより、ベルトにツールホルダーを吊り下げて作業を行うことができるようになっている（例えば、特許文献２）。
【先行技術文献】
【特許文献】
【０００４】
【特許文献１】登録実用新案登録第３０６１６２１号公報
【特許文献２】登録実用新案登録第３０９２２８０号公報
【考案の概要】
【考案が解決しようとする課題】
【０００５】
しかし、従来技術においては、ベルト通しの大きさがベルトよりも比較的大きいと遊挿状態となり、ツールホルダーが所定位置に停止せずに移動してしまうという問題があった。
【０００６】
解決しようとする問題点は、ベルト通しに腰ベルトを通してツールホルダーなど携帯品類の被吊り下げ物を吊り下げて携帯するとき、ベルト通しが移動しにくい携帯品類の吊り下げ用腰ベルトを提供することを目的とする。
【課題を解決するための手段】
【０００７】
請求項１の考案は、端部に留め具を設けたベルトの内面、外面の少なくとも一方に、ゴム層又はウレタン層などのエラストマー層を設けたことを特徴とする携帯品類の吊り下げ用腰ベルトである。
【０００８】
請求項２の考案は、前記エラストマー層は前記内面、外面の少なくとも一方の表面に積層して設けられたことを特徴とする請求項１記載の携帯品類の吊り下げ用腰ベルトである。
【０００９】
請求項３の考案は、前記エラストマー層は、前記ベルトの長手方向に沿って正面が文字、数字或いは模様を形成していることを特徴とする請求項１又は２記載の携帯品類の吊り下げ用腰ベルトである。
【００１０】
請求項４の考案は、端部に留め具を設けたベルトの上縁に、該ベルトの表面よりも摩擦係数の高い第一の摩擦表面を有する上縁部材を設けたことを特徴とする携帯品類の吊り下げ用腰ベルトである。
【００１１】
請求項５の考案は、端部に留め具を設けたベルトの下縁に、該ベルトの表面よりも摩擦係数の高い第二の摩擦表面を有する下縁部材を設けたことを特徴とする携帯品類の吊り下げ用腰ベルトである。
【００１２】
請求項６の考案は、前記上縁部材を前記上縁の長さ方向に沿って設けたことを特徴とする請求項４記載の携帯品類の吊り下げ用腰ベルトである。
【００１３】
請求項７の考案は、前記下縁部材を前記下縁の長さ方向に沿って設けたことを特徴とする請求項５記載の携帯品類の吊り下げ用腰ベルトである。
【００１４】
請求項８の考案は、前記摩擦表面をエラストマーにより形成することを特徴とする請求項４〜７のいずれか１項に記載の携帯品類の吊り下げ用腰ベルトである。
【００１５】
請求項９の考案は、前記ベルトが平帯状であることを特徴とする請求項１〜８のいずれか１項に記載の携帯品類の吊り下げ用腰ベルトである。
【００１６】
請求項１０の考案は、所定の厚みと幅及び長さを有するシート状の発泡材を芯材とし、その外周を表面にエラストマーを施した布からなる外皮を、この外皮の上縁部材、内側部材及び下縁部材をあらわして被覆し、この外皮のベルト外側の表面に当該外皮よりも細幅のポリエステル繊維布の表皮を縫着してベルトを形成し、該ベルトに留め具を取り付けてなることを特徴とする携帯品類の吊り下げ用腰ベルトである。
【考案の効果】
【００１７】
請求項１の考案によれば、ベルトをベルト通しなどに挿入してツールホルダーなどの被吊り下げ具を吊り下げたとき、エラストマー層によってベルト通しが滑り止め作用を受けることができる。
【００１８】
請求項２の考案によれば、前記エラストマー層は表面に突出することで、ベルト通しなどが前記エラストマー層に確実に接することができる。
【００１９】
請求項３の考案によれば、長手方向のいずれの箇所でも滑り止めでき、前記エラストマー層によって美観を向上することができる。
【００２０】
請求項４の考案によれば、ツールホルダーのベルト通しなどの内側上部が第一の摩擦表面に接することで、作業者が前傾などしても、摩擦力によってベルト通しなどの移動を阻止できる。
【００２１】
請求項５の考案によれば、ベルト通しの内側下部などが第二の摩擦表面に接することで、ベルト通しなどが滑ることなく固定できる。
【００２２】
請求項６の考案によれば、ベルト通しなどが上縁の長手方向のどの箇所にあっても、第一の摩擦表面によって移動を阻止できる。
【００２３】
請求項７の考案によれば、ベルト通しなどが下縁の長手方向のどの箇所にあっても、第二の摩擦表面によって移動を阻止できる。
【００２４】
請求項８の考案によれば、摩擦係数を大きくして確実に固定することができる。
【００２５】
請求項９の考案によれば、前記ベルト通しと前記エラストマー層との接触面積を大きくすることができる。
【００２６】
請求項１０の考案によれば、芯材として適度のクッション性を有し、さらにベルト通しの上部、下部、ズボン側に接することで、ベルト通しが滑ることがなくなる。
【図面の簡単な説明】
【００２７】
【図１】本考案の第１実施例を示す斜視図である。
【図２】同断面図である。
【図３】本考案の第２実施例を示す斜視図である。
【図４】同断面図である。
【図５】本考案の第３実施例を示す斜視図である。
【図６】同断面図である。
【図７】本考案の第４実施例を示す断面図である。
【考案を実施するための最良の形態】
【００２８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２９】
図１，２は実施例１を示しており、ズボン又はスカート用の携帯品類の吊り下げ用腰ベルト１は、断面が縦長で扁平な平帯状のベルト２と、このベルト２の端部に装着されるバックルなどの留め具（止め具）３からなる。そして、ベルト２の内側、すなわちズボン４側に内側のエラストマー層であるゴム層又はウレタン層５を設ける。このゴム層又はウレタン層５はベルト２の内側表面２Ａに積層するように内側表面２Ａよりやや盛り上がるように突出して設けられている。この積層は、ベルト２の長手方向に沿って全長或いは一部分に、印刷技術によって文字、数字或いは模様があらわれるようになっている。実施例ではローマ字を上下２段として形成している。尚、エラストマー層は、常温ではゴム状弾性を有し、例えば天然ゴム、各種の合成ゴム、再生ゴム、ウレタン系或いはアクリル系等樹脂などのゴム状部材によって形成されている。
【００３０】
同様に、ベルト２の外側に、外側のエラストマー層であるゴム層又はウレタン層６を設ける。ゴム層又はウレタン層６は、ベルト２の外側表面２Ｂに積層して、文字、数字或いは模様をあらわすようになっている。尚、ベルト２は、後述するツールホルダーを工具と共に吊り下げてもズボン４から落ちない程度の強度を有している。
【００３１】
次に前記構成について、その作用を説明する。腰ベルト１は通常とおりズボン４の腰周りに回して装着する。その際、ベルト通し７にベルト２を通してツールホルダー８を吊り下げる。このような吊り下げ状態にあるベルト通し７は内側のゴム層又はウレタン層５又は及び外側のゴム層又はウレタン層６に接することで、比較的大きな摩擦力が作用して、ベルト２に対するベルト通し７の移動を阻止して、ツールホルダー８を所定位置に吊り下げ続けることができる。
【００３２】
以上のように、前記実施例では請求項１に対応して、端部に留め具３を設けたベルト２の内面、外面の少なくとも一方に、ゴム層又はウレタン層５，６を設けたことで、ツールホルダー８を吊り下げたとき、ゴム層又はウレタン層５，６によってベルト通し７が滑り止め作用を受け、ツールホルダー８の移動を阻止すことができる。
【００３３】
前記実施例では請求項２に対応して、前記ゴム層又はウレタン層５，６は前記内面２Ａ、外面２Ｂの少なくとも一方の表面に積層して設けられたことで、ベルト通し７などが前記ゴム層又はウレタン層５，６に確実に接することができる。
【００３４】
前記実施例では請求項３に対応して、前記ゴム層又はウレタン層５，６は、ベルト２の長手方向に沿っていることで、長手方向のいずれの箇所でも滑り止めを発揮でき、そして正面が文字、数字或いは模様を形成していることで、美観を向上することができる。
【００３５】
前記実施例では請求項９に対応して、前記ベルト２が平帯状であることで、ベルト通し７とゴム層又はウレタン層５，６との接触面積を大きくすることができる。
【実施例２】
【００３６】
次に他の実施例について説明する。尚、前記実施例１と同一部分には同一符号を付し、その詳細な説明を省略する。
【００３７】
図３，４は実施例２を示しており、端部に留め具３を設け所定の強度を有する例えばポリエステル繊維布からなるベルト２の上縁２Ｃに、該ベルト２の内側表面２Ａ、外側表面２Ｂのいずれの表面よりも摩擦係数の高い第一の摩擦表面10Ａを有する上縁部材10をベルト２の上縁２Ｃに設ける。実施例ではベルト２は所定の強度を有するように合成樹脂繊維を編んで形成されている。一方、上縁部材10は、常温ではゴム状弾性を有し、例えば天然ゴム、各種の合成ゴム、再生ゴム、ウレタン系或いはアクリル系等樹脂などのエラストマーからなるゴム状部材によって形成されており、この上縁部材10の表面はベルト２の内側表面２Ａ、外側表面２Ｂのいずれよりも摩擦係数が大きい第一の摩擦表面10Ａが形成されている。上縁部材10は帯布状であって、断面を逆Ｕ字形状として上縁２Ｃを挟むようにして上縁２Ｃの長手方向の全長或いは一部分に沿って縫着し一体化している。
【００３８】
次に前記構成について、その作用を説明する。腰ベルト１は通常とおりズボン４の腰周りに回して装着する。その際、ベルト通し７にベルト２を通してツールホルダー８を吊り下げる。このような吊り下げ状態にあるベルト通し７は、ツールホルダー８の自重によって、内側上部７Ａが第一の摩擦表面10Ａに接することで、比較的大きな摩擦力が作用して、ベルト２に対するベルト通し７の移動を阻止して、ツールホルダー８を所定位置に吊り下げ続けることができる。特に、体が垂直状態から前又は後に倒れても、ツールホルダー８の自重によってベルト通し７の内側上部７Ａが第一の摩擦表面10Ａに接し続けることで、両者間に生成される大きな摩擦によってベルト通し７が滑ることなく当初の位置に固定され続け、このため作業者は定位置にあるツールホルダー８よりいつもとおりに工具や部品を取り出したり、戻したりすることができる。
【００３９】
以上のように、前記実施例では請求項４に対応して、端部に留め具３を設けたベルト２の上縁に、該ベルト２の表面２Ａ，２Ｂよりも摩擦係数の高い第一の摩擦表面10Ａを有する上縁部材10を設けたことにより、ベルト通し７の内側上部７Ａが第一の摩擦表面10Ａに接することで、作業者が前傾などしても、前記摩擦力によってベルト通し７の移動が阻止されて、ツールホルダー８は常時定位置に置かれることとなり、ツールホルダー８が移動するようなことを気にすることなく作業を行うことができる。
【００４０】
また、請求項６に対応して、上縁部材10を上縁２Ｃの長さ方向に沿って設けたことによって、ベルト通し７が上縁２Ｃの長手方向のどの箇所にあっても、第一の摩擦表面10Ａによってツールホルダー８が移動することがなくなり、いっそう便利となる。
【００４１】
さらに、請求項８に対応して、前記第一の摩擦表面10Ａをエラストマーにより形成することにより、ベルト通し７との摩擦係数を大きくして確実にベルト通し７を固定することができる。
【実施例３】
【００４２】
図５，６は実施例３を示しており、この実施例３では実施例２に設けた上縁部材10に内側表面２Ａに沿うように内側部材11が連設され、さらに内側部材11の下部にベルト２の下縁２Ｄを覆う下縁部材12を一体に設けている。下縁部材12は断面をＵ字形状として下縁２Ｄを挟むようにして下縁２Ｄの全長に沿って縫着し一体化している。そして、これら上縁部材10、内側部材11及び下縁部材11はエラストマーによって一体に形成されたもので、ベルト２に添着している。このため、下縁部材12の表面はベルト２の内側表面２Ａ、外側表面２Ｂのいずれよりも摩擦係数が大きい第二の摩擦表面12Ａが形成されており、この下縁部材12はベルト２の下縁２Ｄの長手方向の全長或いは一部分に設けられる。
【００４３】
さらに詳述すると、ベルト２は、シート状の発泡ポリエチレンを芯材13に有し、その外周を裏面にビニル樹脂加工を施すと共に表面にエラストマーを施した繊維布からなる外皮14を被覆し、この外皮の表面に当該外皮よりも細幅のポリエステル繊維布の表皮15を縫着して形成されており、ベルト２に留め具３を取り付けてなる。そして、芯材13によりベルト２が形成され、内側表面２Ａ、外側表面２Ｂ、上縁２Ｃ、下縁２Ｄを有する。また外皮14により上縁部材10、内側部材11及び下縁部材12が形成されている。
【００４４】
次に前記構成について、その作用を説明するベルト１は通常とおりズボン４の腰周りに回して装着する。その際、比較的幅狭なベルト通し７´にベルト２を通してツールホルダー８をややきつい状態で吊り下げる。このような吊り下げ状態にあるベルト通し７´は、ツールホルダー８の自重によって、内側上部７´Ａが第一の摩擦表面10Ａに接すると共に、ベルト通し７の内側下部７´Ｂが第二の摩擦表面12Ａに接する。さらに内側表面２Ａにベルト通し７´のズボン４側に接する。
【００４５】
このように、ベルト通し７´の内側上部７´Ａと第一の摩擦表面10Ａのみならず、ベルト通し７´の内側下部７´Ｂと第二の摩擦表面12Ａ、内側表面２Ａとベルト通し７´のズボン４側との大きな摩擦力が作用して、ベルト２に対するベルト通し７の移動を阻止して、ツールホルダー８を所定位置に吊り下げ続けることができる。特に、体が垂直状態から前又は後に倒れて、ベルト通し７´の内側上部７´Ａから第一の摩擦表面10Ａが離間しても、ベルト通し７の内側下部７´Ｂが第二の摩擦表面12Ａに接し続けることで、ベルト通し７が滑ることなく当初の位置に固定され続け、このため作業者は定位置にあるツールホルダー８よりいつもとおりに工具や部品を取り出したり、戻したりすることができる。
【００４６】
以上のように、前記実施例では請求項５に対応して、端部に留め具３を設けたベルト２の下縁２Ｄに、該ベルト２の表面２Ａ，２Ｂよりも摩擦係数の高い第二の摩擦表面12Ａを有する下縁部材12を設けたことにより、ベルト通し７の内側下部７´Ｂが第二の摩擦表面12Ａに接することで、ベルト通し７が滑ることなく当初の位置に固定され続ける。
【００４７】
また、請求項７に対応して下縁部材10を下縁２Ｄの長さ方向に沿って設けたことによって、ベルト通し７が下縁２Ｄの長手方向のどの箇所にあっても、第二の摩擦表面12Ａによってツールホルダー８が移動するようなくなり、いっそう便利となる。
【００４８】
さらに、請求項１０に対応して所定の厚みと幅及び長さを有するシート状の発泡材である発泡ポリエチレンを芯材13とし、その外周を表面にエラストマーを施した布からなる外皮14を被覆し、それぞれ表面の摩擦係数が大きい上縁部材10、内側部材11及び下縁部材12をあらわし、そして、この外皮14のベルト外側の表面に当該外皮14よりも細幅のポリエステル繊維布の表皮15を縫着してベルト２を形成し、該ベルト２に留め具１を取り付けてなることにより、芯材13として適度のクッション性を有し、さらにベルト通し７の内側下部７´Ｂが第二の摩擦表面12Ａに接したり、ベルト２の内側表面２Ａにベルト通し７´のズボン４側に接することで、ベルト通し７が滑ることなく当初の位置に固定され続ける。
【実施例４】
【００４９】
図７は実施例４を示しており、実施例４では実施例２で示した上縁部材10と、実施例３で示した下縁部材12を別々に設けたものである。このようにすることで、ベルト通し７´の内側上部７´Ａ、内側下部７´Ｂにそれぞれ接して、ツールホルダー８を所定位置に摩擦により固定することができる。
【産業上の利用可能性】
【００５０】
以上のように本考案に係る腰ベルトは、ズボンのみならずスカートなど各種の用途に適用できる。
【符号の説明】
【００５１】
２  ベルト
２Ａ  内側表面
２Ｂ  外側表面
５  内側のゴム層又はウレタン層（エラストマー層）
６  外側のゴム層又はウレタン層（エラストマー層）
10  上縁部材
10Ａ  第一の摩擦表面
11  内側部材
12  下縁部材
12Ａ  第二の摩擦表面
13  芯材
14  外皮
15  表皮
【図１】
0003153663.tif 000003
【図２】
0003153663.tif 000004
【図３】
0003153663.tif 000005
【図４】
0003153663.tif 000006
【図５】
0003153663.tif 000007
【図６】
0003153663.tif 000008
【図７】
0003153663.tif 000009
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
端部に留め具を設けたベルトの内面、外面の少なくとも一方に、ゴム層又はウレタン層などのエラストマー層を設けたことを特徴とする携帯品類の吊り下げ用腰ベルト。
【請求項２】
前記エラストマー層は前記内面、外面の少なくとも一方の表面に積層して設けられたことを特徴とする請求項１記載の携帯品類の吊り下げ用腰ベルト。
【請求項３】
前記エラストマー層は、前記ベルトの長手方向に沿って正面が文字、数字或いは模様を形成していることを特徴とする請求項１又は２記載の携帯品類の吊り下げ用腰ベルト。
【請求項４】
端部に留め具を設けたベルトの上縁に、該ベルトの表面よりも摩擦係数の高い摩擦表面を有する上縁部材を設けたことを特徴とする携帯品類の吊り下げ用腰ベルト。
【請求項５】
端部に留め具を設けたベルトの下縁に、該ベルトの表面よりも摩擦係数の高い摩擦表面を有する下縁部材を設けたことを特徴とする携帯品類の吊り下げ用腰ベルト。
【請求項６】
前記上縁部材を前記上縁の長さ方向に沿って設けたことを特徴とする請求項４記載の携帯品類の吊り下げ用腰ベルト。
【請求項７】
前記下縁部材を前記下縁の長さ方向に沿って設けたことを特徴とする請求項５記載の携帯品類の吊り下げ用腰ベルト。
【請求項８】
前記摩擦表面をエラストマーにより形成することを特徴とする請求項４〜７のいずれか１項に記載の携帯品類の吊り下げ用腰ベルト。
【請求項９】
前記ベルトが平帯状であることを特徴とする請求項１〜８のいずれか１項に記載の携帯品類の吊り下げ用腰ベルト。
【請求項１０】
所定の厚みと幅及び長さを有するシート状の発泡材を芯材とし、その外周を表面にエラストマーを施した布からなる外皮を、この外皮の上縁部材、内側部材及び下縁部材をあらわして被覆し、この外皮のベルト外側の表面に当該外皮よりも細幅のポリエステル繊維布の表皮を縫着してベルトを形成し、該ベルトに留め具を取り付けてなることを特徴とするベルト。